【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
撮影レンズを通過した光束を受光し光電変換して像信号を出力する撮像用画素と焦点検出用画素を有する撮像素子と、
上記撮像素子に向かって射出する光束の射出角度範囲に関する情報を像高に応じて記憶する第１の記憶部と、
上記撮像素子の特性に関する情報を記憶する第２の記憶部と、
上記撮像素子を上記撮影レンズの光軸と垂直な方向に移動させて手ブレを補正すると共に移動に関する情報を出力する防振部と、
上記第１の記憶部の出力と上記第２の記憶部の出力と上記防振部の出力に基づいて焦点調節のための情報を算出する演算部と、
を具備し、
上記演算部は、上記射出角度範囲に関する情報と上記移動に関する情報に基づいて、補正された射出角度範囲に関する情報を算出し、上記補正された射出角度範囲に関する情報と上記撮像素子の特性に関する情報に基づいて焦点調節のための情報を算出することを特徴とする焦点調節装置。
【請求項２】
上記射出角度範囲に関する情報は、光束の入射角度と角度範囲であることを特徴とする請求項１に記載の焦点調節装置。
【請求項３】
上記第１の記憶部は、上記射出角度範囲に関する情報は、上記撮影レンズの状態ごとに保持することを特徴とする請求項１または２に記載の焦点調節装置。
【請求項４】
上記撮影レンズはズーム機能を有し、上記撮影レンズの状態は、ズーム位置に関する情報であることを特徴とする請求項３に記載の焦点調節装置。
【請求項５】
上記撮影レンズはフォーカスレンズを有し、上記撮影レンズの状態は、上記フォーカスレンズの位置に関する情報であることを特徴とする請求項３に記載の焦点調節装置。
【請求項６】
上記撮影レンズは絞りを有し、上記撮影レンズの状態は、上記絞りの開口に関する情報であることを特徴とする請求項３に記載の焦点調節装置。
【請求項７】
上記撮像素子の特性に関する情報は、上記焦点検出用画素の斜入射特性であることを特徴とする請求項１に記載の焦点調節装置。
【請求項８】
上記焦点調節のための情報は、上記撮像素子に入射する光束の入射角範囲に対する、上記焦点検出用画素の出力に基づく位相差検出情報をデフォーカス量に変換するための変換係数であることを特徴とする請求項１ないし７のいずれか一項に記載の焦点調節装置。
【請求項９】
上記撮像素子の特性に関する情報は、斜入射特性の個体差に関する情報であることを特徴とする請求項１ないし８のいずれ一項に記載の焦点調節装置。
【請求項１０】
撮影レンズを通過した光束を導くレンズ部と、上記レンズ部を装着可能であって上記撮影レンズと通過した光束を受光し光電変換して像信号を出力する撮像用画素と焦点検出用画素を有する撮像素子を含むボディ部と、上記ボディ部に含まれ上記撮像素子を上記撮影レンズの光軸と垂直な方向に移動させて手ブレを補正するとともに上記移動に関する情報を出力する防振部を有する撮影装置の焦点調節方法において、
上記レンズ部から上記撮像素子に向かって射出する光束の像高に応じた射出角度範囲に関する情報を読み出し、
上記ボディ部から上記撮像素子の特性の情報を読み出し、
上記射出角度範囲に関する情報と上記防振部の出力に基づいて、補正された射出角度範囲に関する情報を算出し、上記補正された射出角度範囲に関する情報と上記撮像素子の特性の情報に基づいて、焦点調節のための情報を算出する、
ことを特徴とする焦点調節方法。
【請求項１１】
上記射出角度範囲に関する情報は、光束の入射角度と角度範囲であることを特徴とする請求項１０に記載の焦点調節方法。
【請求項１２】
上記射出角度範囲に関する情報は、上記撮影レンズの状態ごとに保持することを特徴とする請求項１０または１１に記載の焦点調節方法。
【請求項１３】
上記焦点調節のための情報は、上記撮像素子に入射する光束の入射角範囲に対する、上記焦点検出用画素の出力に基づく位相差検出情報をデフォーカス量に変換するための変換係数であることを特徴とする請求項１０ないし１２のいずれか一項に記載の焦点調節方法。
【手続補正２】
【補正対象書類名】明細書
【補正対象項目名】発明の名称
【補正方法】変更
【補正の内容】
【発明の名称】焦点調節装置および焦点調節方法
【手続補正３】
【補正対象書類名】明細書
【補正対象項目名】０００１
【補正方法】変更
【補正の内容】
【０００１】
本発明は、焦点調節装置および焦点調節方法に関し、詳しくは、撮像用画素と焦点検出用画素を有する撮像素子の出力に基づいて位相差ＡＦ方式により焦点調節を行う焦点調節装置および焦点調節方法に関する。
【手続補正４】
【補正対象書類名】明細書
【補正対象項目名】０００６
【補正方法】変更
【補正の内容】
【０００６】
本発明は、このような事情を鑑みてなされたものであり、撮影レンズや撮像素子の状態に応じて適切な補正を行うことが可能な焦点調節装置および焦点調節方法を提供することを目的とする。
【手続補正５】
【補正対象書類名】明細書
【補正対象項目名】０００７
【補正方法】変更
【補正の内容】
【０００７】
上記目的を達成するため第１の発明に係る焦点調節装置は、撮影レンズを通過した光束を受光し光電変換して像信号を出力する撮像用画素と焦点検出用画素を有する撮像素子と、
上記撮像素子に向かって射出する光束の射出角度範囲に関する情報を像高に応じて記憶する第１の記憶部と、上記撮像素子の特性に関する情報を記憶する第２の記憶部と、上記撮像素子を上記撮影レンズの光軸と垂直な方向に移動させて手ブレを補正すると共に移動に関する情報を出力する防振部と、上記第１の記憶部の出力と上記第２の記憶部の出力と上記防振部の出力に基づいて焦点調節のための情報を算出する演算部と、を具備し、上記演算部は、上記射出角度範囲に関する情報と上記移動に関する情報に基づいて、補正された射出角度範囲に関する情報を算出し、上記補正された射出角度範囲に関する情報と上記撮像素子の特性に関する情報に基づいて焦点調節のための情報を算出する。
【手続補正６】
【補正対象書類名】明細書
【補正対象項目名】０００８
【補正方法】変更
【補正の内容】
【０００８】
第２の発明に係る焦点調節装置は、上記第１の発明において、上記射出角度範囲に関する情報は、光束の入射角度と角度範囲である。
第３の発明に係る焦点調節装置は、上記第１または第２の発明のいずれかであって、上記第１の記憶部は、上記射出角度範囲に関する情報は、上記撮影レンズの状態ごとに保持する。
【手続補正７】
【補正対象書類名】明細書
【補正対象項目名】０００９
【補正方法】変更
【補正の内容】
【０００９】
第４の発明に係る焦点調節装置は、上記第３の発明において、上記撮影レンズはズーム機能を有し、上記撮影レンズの状態は、ズーム位置に関する情報である。
第５の発明に係る焦点調節装置は、上記第３の発明において、上記撮影レンズはフォーカスレンズを有し、上記撮影レンズの状態は、上記フォーカスレンズの位置に関する情報である。
第６の発明に係る焦点調節装置は、上記第３の発明において、上記撮影レンズは絞りを有し、上記撮影レンズの状態は、上記絞りの開口に関する情報である。
【手続補正８】
【補正対象書類名】明細書
【補正対象項目名】００１０
【補正方法】変更
【補正の内容】
【００１０】
第７の発明に係る焦点調節装置は、上記第１の発明において、上記撮像素子の特性に関する情報は、上記焦点検出用画素の斜入射特性である。
第８の発明に係る焦点調節装置は、上記第１ないし第７の発明において、上記焦点調節のための情報は、上記撮像素子に入射する光束の入射角範囲に対する、上記焦点検出用画素の出力に基づく位相差検出情報をデフォーカス量に変換するための変換係数である。
第９の発明に係る焦点調節装置は、上記第１ないし第８の発明において、上記撮像素子の特性に関する情報は、斜入射特性の個体差に関する情報である。
【手続補正９】
【補正対象書類名】明細書
【補正対象項目名】００１１
【補正方法】変更
【補正の内容】
【００１１】
第１０の発明に係る焦点調節方法は、撮影レンズを通過した光束を導くレンズ部と、上記レンズ部を装着可能であって上記撮影レンズと通過した光束を受光し光電変換して像信号を出力する撮像用画素と焦点検出用画素を有する撮像素子を含むボディ部と、上記ボディ部に含まれ上記撮像素子を上記撮影レンズの光軸と垂直な方向に移動させて手ブレを補正するとともに上記移動に関する情報を出力する防振部を有する撮影装置の焦点調節方法において、上記レンズ部から上記撮像素子に向かって射出する光束の像高に応じた射出角度範囲に関する情報を読み出し、上記ボディ部から上記撮像素子の特性の情報を読み出し、上記射出角度範囲に関する情報と上記防振部の出力に基づいて、補正された射出角度範囲に関する情報を算出し、上記補正された射出角度範囲に関する情報と上記撮像素子の特性の情報に基づいて、焦点調節のための情報を算出する。
【手続補正１０】
【補正対象書類名】明細書
【補正対象項目名】００１２
【補正方法】変更
【補正の内容】
【００１２】
第１１の発明に係る焦点調節方法は、上記第１０の発明において、上記射出角度範囲に関する情報は、光束の入射角度と角度範囲である。
第１２の発明に係る焦点調節方法は、上記第１０または第１１の発明において、上記射出角度範囲に関する情報は、上記撮影レンズの状態ごとに保持する。
第１３の発明に係る焦点調節方法は、上記第１０ないし第１２の発明において、上記焦点調節のための情報は、上記撮像素子に入射する光束の入射角範囲に対する、上記焦点検出用画素の出力に基づく位相差検出情報をデフォーカス量に変換するための変換係数である。
【手続補正１１】
【補正対象書類名】明細書
【補正対象項目名】００１３
【補正方法】変更
【補正の内容】
【００１３】
本発明によれば、撮影レンズや撮像素子の状態の変化に応じて、適切な補正を行うことが可能な焦点調節装置および焦点調節方法を提供することができる。